(57)【特許請求の範囲】
【請求項１】
引戸の室外側に設けられた取付け収納箱に内側シリンダーの駆動力を変換する動力変換上下動部材を組込み、一方、引戸の室内側にクラッチボタン用支持筒を有するサムターンを設け、このサムターンの支持筒に組込まれたクラッチボタンを介して連動し、かつ施錠片を回転させる連動部材を前記取付け収納箱に上下動可能に内装し、この連動部材と動力変換上下動部材の間に、該動力変換上下動部材の移動方向に対して水平方向へ移動する制御板を組込み、前記内側シリンダーにキーを挿入した操作すると、内側シリンダーの駆動力により、前記動力変換上下動部材が上下方向に移動すると共に、これに連動する前記制御板が取付け収納箱に案内されてサムターン側へ前進し、該制御板の前壁２５ａでクラッチボタン４３を支持筒内装のバネ４２のバネ力に抗して押して該クラッチボタン４３の大径係合部４３ｂを連動部材の逃がし用垂直案内長孔３６と連通する大径の係合孔３７から外し、これによりクラッチボタンのクラッチ状態を解消させることを特徴とする建具用サムターン係脱機構。
【請求項２】
請求項１に於いて、動力変換上下動部材２０は、制御板２５の左右の側壁に形成された傾斜案内孔２７に係合する突起軸２３を有する係合駆動部２１と、この係合駆動部２１の一側壁から延び、かつ内側シリンダー１０の駆動歯車１３に噛合するラック部２２とから成ることを特徴とする建具用サムターン係脱機構。
【発明の詳細な説明】
【０００１】
【発明の属する技術分野】
本発明は、建具用サムターン係脱機構に関し、特に引き違い戸、片引き戸、引き分け戸などの引戸に適合する建具用サムターン係脱機構に関する。この建具用サムターン係脱機構は、例えば泥棒がガラスの一部をくり抜いて手を差し込み、外からサムターンを移動させた場合に効果を発揮する。
【０００２】
【従来の技術】
建具の一例としての引き違い戸には、普通一般に内側引戸の框に外側引戸の受け金具と係合する施錠片を動かすための操作体（サムターン）が設けられている。例えば中央部に摘みを有する垂直板状のサムターンを下方へスライドさせると、取付け箱に設けられた連動部材を介して施錠片（鎌片）が掛合方向へと突出回転する。これに対してサムターンを上方方向へスライドさせると施錠片は後退方向へと回転する。
【０００３】
そこで、今仮に泥棒が留守宅に忍び込もうとしてガラスの一部をくり抜き、当該くり抜き部分から手を入れて内側のサムターンを操作した場合には、簡単に不正解錠が行われる可能性がある。
【０００４】
これを防止するために、外出する際に「サムターンの摘みを取り外す考え方」がある。確かに、摘みを取り外すと、泥棒はガラスをくり抜いても外から容易にサムターンをスライドさせることができないので、不正解錠に時間がかかり過ぎ、泥棒は室内に侵入するのを諦める可能性がでてくるという利点はある。
しかしながら、相手は泥棒であるから、摘みがなくてもサムターンを移動させる可能性が残っている。また、摘みを取り外した場合、その保管場所に困り、時には「どこに摘みを置いたか」判らないことも日常的な経験則である。
【０００５】
【発明が解決しようとする課題】
本発明の第１の目的は、泥棒が仮にガラスをくり抜き、手を差入れてサムターンをスライドさせても建具に設けた錠前の施錠状態を解消させることができないことである。第２の目的は、摘みを取り外すタイプのサムターンの不便さを解消することである。第３の目的は、サムターンの係脱機構を合理的な構成により達成することができることである。
【０００６】
【課題を解決するための手段】
本発明の建具用サムターン係脱機構は、引戸の室外側に設けられた取付け収納箱に内側シリンダーの駆動力を変換する動力変換上下動部材を組込み、一方、引戸の室内側にクラッチボタン用支持筒を有するサムターンを設け、このサムターンの支持筒に組込まれたクラッチボタンを介して連動し、かつ施錠片を回転させる連動部材を前記取付け収納箱に上下動可能に内装し、この連動部材と動力変換上下動部材の間に、該動力変換上下動部材の移動方向に対して水平方向へ移動する制御板を組込み、前記内側シリンダーにキーを挿入した操作すると、内側シリンダーの駆動力により、前記動力変換上下動部材が上下方向に移動すると共に、これに連動する前記制御板が取付け収納箱に案内されてサムターン側へ前進し、該制御板の前壁２５ａでクラッチボタン４３を支持筒内装のバネ４２のバネ力に抗して押して該クラッチボタン４３の大径係合部４３ｂを連動部材の逃がし用垂直案内長孔３６と連通する大径の係合孔３７から外し、これによりクラッチボタンのクラッチ状態を解消させることを特徴とする建具用サムターン係脱機構。
【０００７】
【発明の実施の形態】
図１乃至図１０に示す一実施例を参照に本発明を説明する。
【０００８】
（１）発明の実施の環境
まずＸは引き違い戸、片引き戸、引き分け戸などの建具用サムターン係脱機構である。本実施例では、説明の便宜上、内外の二枚の戸を左右にスライドする引き違い戸にサムターン係脱機構を組み込んだ例で説明する。二枚式引き違い戸に於いて、サムターン係脱機構Ｘは、内側引戸１の框に組み込まれた単数又は複数個の取付け収納箱２又はサムターン３を基準として該内側引戸１に設けられている。４は施錠片の一例としての鎌片で、この鎌片４は外側引戸１Ａの受け金具に回転掛合する。内側引戸１の中に収められる一つの取付け収納箱２は、固着手段５を介して内側引戸１の室外側１ａから固定される。一方、長板状のサムターン３を上下方向に案内する外枠部材６と、サムターン３を内側から支持する受け部材７は、室内側１ｂから固定される。以下、本発明の特定要件について順次説明するが、細部的な事項は図面及びその説明を割愛する。
【０００９】
（２）内側シリンダー
１０は筒状シリンダーケース１１に内装された内側シリンダーで、この内側シリンダー１０の内端部から突出する駆動軸１２には、動力変換機構の一部を構成する駆動歯車（ピニオン）１３が設けられている。この内側シリンダー１０は、例えば外側引戸に取り付けた外側シリンダーにも使える共用キー１４によってその駆動軸１２が回転する。
【００１０】
（３）取付け収納箱
図４で示すように、取付け収納箱２は中空角柱状に形成され、上端部には一側壁から上方に延びた取付け壁２ａが、また、下端部には施錠片４が十分に回転後退することかできるように逃し用切欠部２ｂが形成されている。この取付け収納箱２の形態は、任意に形成することができるが、他の部材との関係で複数個の軸孔、突起軸、上下動部材用案内部などが設けられている。
【００１１】
しかして、本実施例では、１５は左右の側壁下部に形成した鎌片用軸孔、１６は左右側壁の上端部寄りの部位に形成され、かつ、水平移動可能な制御板を案内する内側突起軸である。また１７は左右の側壁と交差する側壁に形成された縦長嵌合孔或いは切欠部である。
【００１２】
（４）動力変換上下動部材
２０は取付け収納箱２に組込まれた動力変換上下動部材である。この動力変換上下動部材２０は、図４で示すように縦長ブロック形状の係合駆動部２１と、この係合駆動部２１の一側壁から垂直板状に上方に延びるラック部２２とから成る。
【００１３】
しかして、係合駆動部２１の左右の側壁には、上下に所要の間隔を有して一対の突起軸２３，２３が設けられ、取付け収納箱２の上部側に内装される。一方、動力変換機構の一部を構成するラック部２２は、取付け収納箱２の上端面開口から突出し、内側シリンダー１０の駆動歯車１３に噛合している。
【００１４】
（５）制御板
２５は取付け収納箱２の上部に内装された制御板である。制御板２５は上下の端面がチャンネル形状（コ字型）に形成され、動力変換上下動部材２０或いは取付け収納箱２に対して水平移動可能に設けられている。すなわち、図４で示すように、２６は左右の側壁の中央部にそれぞれ形成され、かつ、取付け収納箱２の左右の突起軸１６，１６にそれぞれ係合する左右一対の水平案内長孔である。また２７は左右の側壁の上下部にやや斜めの状態にそれぞれ形成され、かつ、動力変換上下動部材２０の左右の突起２３，２３が係合する傾斜案内長孔である。
【００１５】
したがって、制御板２５は動力変換上下動部材２０が駆動歯車１３の駆動力により鉛直方向に昇降動すると、左右の突起２３，２３の位置が上方又は下方へと移行することになるから、カム機能を有する傾斜案内長孔２７，２７によって進退動をする。この時制御板２５は取付け収納箱の突起軸１６，１６に水平案内長孔２６，２６が係合しているので、突起軸１６，１６に支持された状態で水平移動する。
【００１６】
（６）連動部材
長板枠状の連動部材３０も動力変換上下動部材２０と同様に取付け収納箱２内に上下方向へとスライド可能に内装されている。この連動部材３０には取付け収納箱２に横設軸架された横軸に係合する垂直案内長孔などが形成されているが、細部的事項なので省略してある。本発明の特定要件との関係では、図４に示す通りである。
【００１７】
すなわち、３２は連動部材３０の下部の左右側壁（端板）３１に設けられた可動軸で、施錠片４の幅広後端部４ａはこの可動軸３２に、例えばＴ字型状係合孔を介して係合している。前述したように、取付け収納箱２の下端部には軸孔１５が形成されているが、これらの軸孔１５に施錠片用の支軸３３が取付けられる。施錠片４は所定位置にてこの支軸３３を介して回転し、一方、連動部材３０はサムターン３と係合した場合には上下に連動するので、本実施例では支軸３３が邪魔にならないように左右側壁３１の下部を指先状に切欠形成してある。もちろん、左右側壁３１の下部を指先状に切欠せず、支軸用の垂直案内長孔にすることもできる。
【００１８】
また３５は前壁（端板に対する中央板）である。ここでは説明の便宜上、前壁３５と称するが、本実施例ではこの前壁３５は、下部側の垂直壁３５ａと、上部側に設けられかつ該垂直壁３５ａよりも多少後方側へオフセットされた係合垂直壁３５ｂとに区分けされている。
【００１９】
しかして、前記係合垂直壁３５ｂには、上端部から下端部に至って逃し用垂直案内長孔３６が形成され、さらに、この垂直案内長孔３６の略中央部には、該垂直案内長孔よりも大径の係合孔３７が連通形成されている。
【００２０】
ところで、係合垂直壁３５と直交する左右の側壁（端板）３１の上端部は、L型状に切欠されている。また連動部材３０は、前壁３５を基準にして左右の側壁３１が折り曲げ形成されたチャネル形態であり、
前述した制御板２５及び動力変換上下動部材２０は、この連動部材３０の上部内で可動する。
【００２１】
（７）サムターン
次にサムターン３について説明する。サムターン３は、前述した外側部材６と内側の受け部材７との間を上下動するスライド部３ａと、このスライド部３ａの外壁面端部寄りの部位に突設された摘み部３ｂと、前記スライド部３ａの一端部に摘み部とは反対側に突設されたクラッチボタン用支持筒４０と、この支持筒４０の一端開口収納部４１にバネ４２に付勢された状態で組込まれたクラッチボタン４３と、このクラッチボタン４３が外れないように固着手段を介して支持筒４０の端面に固定された矩形状小支持板４４とから構成されている。
【００２２】
しかして、前記クラッチボタン４３は、フランジ部４３ａと、このフランジ部４３ａから突出する大径係合部４３ｂと、この大径係合部４３ｂから突出する小径係合部４３ｃとから成る。また前記小支持板４４には、支持筒４０の端面に形成したネジ孔４０ａと符合する貫通孔小孔４４ａや前記クラッチボタン４３の大径係合部４３ｂが摺動係合する支持係合孔４４ｂがそれぞれ形成されている。
【００２３】
上記構成に於いて、図７及び図８を参照にしてサムターン係脱機構Ｘのクラッチボタン４３が連動部材３０から係合状態（クラッチ）が解かれる場合について説明する。
【００２４】
まず、例えば図３がクラッチボタン４３の大径係合部４３ｂが連動部材３０の係合垂直壁３５ｂの係合孔３７に係合している。今仮にお出かけの際にサムターン３をフリーな状態にしょうとする場合には、外側シリンダーにも使える共用キー１４を内側シリンダー１０に差込み、係合解除方向へ回す。図６で示すように駆動歯車１３が矢印方向へ回転すると、動力変換上下動部材２０は矢印で示すように下降する。そうすると、前述したように制御板２５は突起軸１６に案内されながら連動部材３０側へ前進する。その結果、クラッチボタン４３は、バネ４２のバネ力に抗しながら制御板２５の前壁２５ａに押されるので、その大径係合部４３ｂは係合垂直壁３５ｂの係合孔３７から外れる（図７参照）。
【００２５】
したがって、サムターン３の摘み部３ｂを摘んで上下方向に操作してもクラッチボタン４３の小径係合部４３ｃが逃し用垂直案内長孔３ｂ内を移動するだけなので、連動部材３０にサムターン３側の動力が伝わらない（図８参照）。それ故に、泥棒によって施錠片４の施錠状態が解かれる心配がない。
【００２６】
これに対し、図９及び図１０は、サムターン係脱機構Ｘのクラッチボタン４３が連動部材３０に係合している（クラッチが入っている）状態である。図６の矢印で示した場合とは逆に、共用キー１４で駆動歯車１３を逆方向へ回転させると、動力変換上下動部材２０は上昇する。そうすると、制御板２５は傾斜案内長孔２７，２７等に案内されながら動力変換上下動部材２０側へと戻る。その結果、クラッチボタン４３は、バネ４２のバネ力により制御板２５に追従して突出し、その大径係合部４３ｂが係合垂直壁３５ｂの係合孔３７に係合する（図９参照）。
【００２７】
したがって、サムターン３を矢印、本実施例では上方方向へスライドさせると、連動部材３０はクラッチボタン４３を介して上方へと移動する（図１０参照）。それ故に、施錠片４は、支軸３３を支点に後退回転し、外側引戸の受け金具からその先端部４ｂが離れる。
【００２８】
【実施例】
発明の実施の形態で示した実施例に於いて、制御板２５は、水平案内長孔２６，２６を介して取付け収納箱の突起軸１６，１６に支持されて水平移動する。しかし、制御板を収納箱の左右側壁に横設軸架した１個の横軸で支持しても良い。
また発明のサムターン係脱機構Ｘは、建具用であるから、各種タイプの戸に組み込むことができる。外部建具としての戸は、蝶番の付いた開閉戸と、左右にスライドすることができる引戸に大別することができるが、ここでは、後者の引戸にサムターン係脱機構Ｘを組み込んだ３個の実施例を示す。もちろん、戸に対する適用範囲は、これらの実施例に限定するものではない。
【００２９】
まず図１１は、発明の実施の形態で示した引き違い戸である。引き違い戸は、前述したように、例えば左右の２枚の戸をそれぞれ矢印の方向へスライドして開閉する戸である。符号５０は、壁、戸枠、袖などの不動産の一部を構成する固定部材、１は内側引戸、１Ａは外側引戸、４は鎌である。サムターン係脱機構Ｘは、閉戸時に於いて、内側引戸１と外側引戸１Ａとが互い違いに重なり合った内側引戸１の縦框に組み込まれている。
【００３０】
次に図１２は、片引き戸である。片引き戸は、１枚の戸を矢印で示す左右の方向にスライドして開閉する戸である。片引き戸は、普通一般に壁の内壁側など引き込む場所が必要である。
符号５０は、壁、戸枠、袖などの不動産の一部を構成する固定部材（便宜上、図１１と同一の符号を用いる）、５１は壁、５２は壁の端部に一体的に設けられた柱や戸枠、１Ｂは片引き戸である。サムターン係脱機構Ｘは、閉戸時に於いて、片引き戸１Ｂの一他端部（図では左端部）と柱や戸枠５２とが互い違いに重なり合った片引き戸１Ｂの縦框に組み込まれている。
【００３１】
最後に図１３は、引き分け戸である。引き分け戸は左右の対向する戸を矢印で示す左右の方向にスライドして開閉する戸であるが、この場合、壁或いは袖に引き分けるようにスライドさせる。普通一般に引き分け戸は、突きあう両方の戸を開くことができる。符号５１は左右の壁（便宜上、図１２と同一の符号を用いる。以下、同じ。）、５２は左右の壁５１，５１の端部にそれぞれ一体的に設けられた柱や戸枠、１Ｃ，１Ｃは左右一対の引き分け戸である。サムターン係脱機構Ｘは、閉戸時に於いて、左右の引き分け戸片１Ｃ，１Ｃの柱や戸枠５２に互い違いに重なり合った部分の縦框にそれぞれ組み込まれている。
なお、図１１乃至図１３に於いて、共通符号５５は錠前である。各錠前５５は、戸のタイプによって、外錠、内錠などと称され、適宜に引戸に取付けられる。
【００３２】
【発明の効果】
以上の説明から明らかなように、本発明にあっては、お出かけの際に内側シリンダーにキーを差込んで操作すると、内側シリンダーの駆動歯車と噛合う動力変換上下動部材が移動し、これにより制御板が前進して連動部材に係合中のクラッチボタンを、その前壁２５ａでもって支持筒内装のバネ４２のバネ力に抗して押して該クラッチボタン４３の大径係合部４３ｂを連動部材３０の逃がし用垂直案内長孔３６と連通する大径の係合孔３７から外し、いわゆるクラッチ状態を解いてしまうので、泥棒が仮にガラスをくり抜き、手を差入れてサムターンをスライドさせても連動部材３０はサムターン３に連動しない。したがって、泥棒は引戸錠の施錠状態を解消させることができない。
【図面の簡単な説明】
図１乃至図１０は本発明の実施形態の一例を示す各説明図である。図１１乃至図１３は建具の幾つかの引戸にそれぞれ組み込んだ概略説明図。
【図１】実施形態の一例を示す概略断面説明図。
【図２】室内側から見た場合の取付け状態を示す概略断面説明図。
【図３】図１の主要部の拡大説明図。
【図４】主要部の分解斜視図。
【図５】主要部の組合せ状態を示す概略説明図。
【図６】主要部の作動状態を示す斜視図。
【図７】キー操作により制御板が前進し、クラッチが連動部材から外れた状態の概略説明図。
【図８】サムターンを動かしても連動部材が連動しない説明図。
【図９】キー操作により制御板が後退し、クラッチが連動部材に入った状態の概略説明図。
【図１０】サムターンを動かすと、連動部材が連動する説明図。
【図１１】引き違い戸に組み込んだ概略説明図。
【図１２】片引き戸に組み込んだ概略説明図。
【図１３】引き分け戸に組み込んだ概略説明図。
【符号の説明】
Ｘ…サムターン係脱機構、１…内側引戸、１Ａ…外側引戸、２…取付け収納箱、３…サムターン、３ａ…スライド部、３ｂ…摘み部、４…施錠片、６…外枠部材、７…受け部材、１０…内側シリンダー、１２…駆動軸、１３…駆動歯車、１４…キー、１５…鎌片用軸孔、１６，２３…突起軸、２０…動力変換上下動部材、２１…係合駆動部、２２…ラック部、２５…制御板、２６…水平案内長孔、２７…傾斜案内長孔、３０…連動部材、３１…左右側壁（端板）、３２…可動軸、３３…支軸、３５…前壁、３５ａ…垂直壁、３５ｂ…係合垂直壁、３６…垂直案内長孔、３７…係合孔、４０…クラッチボタン用支持筒、４１…一端開口収納部、４２…バネ、４３…クラッチボタン、４３ｂ…大径係合部、４３ｃ…小径係合部、４４…小支持板。
【図１】
0003968233.tif 000002
【図２】
0003968233.tif 000003
【図３】
0003968233.tif 000004
【図４】
0003968233.tif 000005
【図５】
0003968233.tif 000006
【図６】
0003968233.tif 000007
【図７】
0003968233.tif 000008
【図８】
0003968233.tif 000009
【図９】
0003968233.tif 000010
【図１０】
0003968233.tif 000011
【図１１】
0003968233.tif 000012
【図１２】
0003968233.tif 000013
【図１３】
0003968233.tif 000014